(57)【特許請求の範囲】
【請求項１】
セル間干渉調整のための複数のネットワークノードおよび複数のユーザノードを含むワイヤレス通信システムにおいて無線リソースをスケジューリングおよび／またはミュートするための方法であって、
少なくとも１つのユーザノードによって、１または複数の非サービングネットワークノードに関連する干渉を得るために前記１または複数の非サービングネットワークノードから送信された無線信号の受信信号強度を測定するステップであって、前記無線信号は前記１または複数の非サービングネットワークノードに固有の基準信号である、ステップと、
前記ユーザノードによって、干渉を表す少なくとも１つの無線信号の基準にしたがって前記１または複数の非サービングネットワークノードを配列するステップであって、前記無線信号の基準は、受信信号エネルギー、受信信号電力、受信信号強度インジケータ、基準信号受信品質、伝播損失、信号対雑音比、および信号対雑音干渉比を含む群の中の１または複数の測定値を含む、ステップと、
前記ユーザノードによって、少なくとも第１のサービングネットワークノードに前記配列の結果を示す第１のメッセージをシグナリングするステップと、
前記第１のサービングネットワークノードにより前記シグナリングされた第１のメッセージに示された前記配列の結果に基づいて無線リソースをスケジューリングおよび／またはミュートするステップと
を含み、
前記無線信号の基準は、前記少なくとも１つのユーザノードにおいて前記１または複数の非サービングネットワークノードおよび／あるいはそのそれぞれの関連する送信ビームによって引き起こされる干渉に関連し、
前記第１のメッセージは、干渉するネットワークノードの識別のリストを含むことを特徴とする方法。
【請求項２】
前記受信信号強度は、ダウンリンク共通基準信号および／または測位基準信号に関する測定値に関連することを特徴とする請求項１に記載の方法。
【請求項３】
前記干渉は、前記１または複数の非サービングネットワークノードに関連する異なる送信ビームにさらに関連することを特徴とする請求項１または２に記載の方法。
【請求項４】
前記干渉は、無線リソースの少なくとも１つのセットに関連付けられることを特徴とする請求項１に記載の方法。
【請求項５】
前記第１のサービングネットワークノードは、
異なるユーザノードに関連する複数の第１のメッセージを受信するステップと、
前記複数の第１のメッセージの指示を少なくとも１つの第２のメッセージへと組み合わせるステップと、
１または複数の第２のネットワークノードに前記第２のメッセージをシグナリングするステップと
をさらに実行することを特徴とする請求項１乃至４のいずれか一項に記載の方法。
【請求項６】
ネットワーク制御ノードによって、前記第１のメッセージおよび／または前記第２のメッセージを受信するステップと、
前記ネットワーク制御ノードによって、前記第１のメッセージおよび／または前記第２のメッセージに基づいて無線リソースのスケジューリングおよび／またはミュートを行うステップと
をさらに含むことを特徴とする請求項５に記載の方法。
【請求項７】
前記ネットワーク制御ノードによって、前記第１のサービングネットワークノードおよび前記１または複数の第２のネットワークノードに、無線リソースの前記スケジューリングおよび／またはミュートを行う前記ステップに関連する情報をシグナリングするステップをさらに含むことを特徴とする請求項６に記載の方法。
【請求項８】
前記第２のネットワークノードによって、前記第２のメッセージを受信するステップと、
前記第１のサービングネットワークノードおよび前記１または複数の第２のネットワークノードによって、前記第１のメッセージおよび／または前記第２のメッセージに基づいて無線リソースのスケジューリングおよび／またはミュートを調整するステップと
をさらに含むことを特徴とする請求項５に記載の方法。
【請求項９】
前記干渉をデータベースに記憶し、処理するステップをさらに含み、前記データベースは、無線環境マップ（ＲＥＭ）であることを特徴とする請求項１乃至８のいずれか一項に記載の方法。
【請求項１０】
セル間干渉調整のための複数のネットワークノードおよび複数のユーザノードを含むワイヤレス通信システムにおける通信のために構成されたユーザノードにおける方法であって、
１または複数の非サービングネットワークノードに関連する干渉を得るために前記１または複数の非サービングネットワークノードから送信された無線信号の受信信号強度を測定するステップであって、前記無線信号は前記１または複数の非サービングネットワークノードに固有の基準信号である、ステップと、
干渉を表す少なくとも１つの無線信号の基準にしたがって前記１または複数の非サービングネットワークノードを配列するステップであって、前記無線信号の基準は、受信信号エネルギー、受信信号電力、受信信号強度インジケータ、基準信号受信品質、伝播損失、信号対雑音比、および信号対雑音干渉比を含む群の中の１または複数の測定値を含む、ステップと、
少なくとも第１のサービングネットワークノードに前記配列の結果を示す第１のメッセージをシグナリングするステップと
を含み、
前記無線信号の基準は、少なくとも１つの前記ユーザノードにおいて前記１または複数の非サービングネットワークノードおよび／あるいはそのそれぞれの関連する送信ビームによって引き起こされる干渉に関連し、
前記第１のメッセージは、干渉するネットワークノードの識別のリストを含むことを特徴とする方法。
【請求項１１】
複数のネットワークノードおよび複数のユーザノードを含むワイヤレス通信システムにおける通信のために構成されたネットワークノードにおける方法であって、
少なくとも１つのユーザノードから請求項１０に記載の方法においてシグナリングされた第１のメッセージを受信するステップと、
前記第１のメッセージに示された配列の結果に基づいて無線リソースをスケジューリングおよび／またはミュートするステップと
を含むことを特徴とする方法。
【請求項１２】
前記方法は、
その他のネットワークノードから少なくとも１つの第２のメッセージを受信するステップであって、前記第２のメッセージは複数の第１のメッセージの組み合わされた指示である、ステップと、
前記第１のメッセージおよび／または前記第２のメッセージに基づいて無線リソースをスケジューリングおよび／またはミュートするステップと
をさらに含むことを特徴とする請求項１１に記載の方法。
【請求項１３】
処理手段によって実行されるときに前記処理手段に請求項１１に記載の方法を実行させるコード手段を特徴とするコンピュータプログラム。
【請求項１４】
セル間干渉調整のための複数のネットワークノードおよび複数のユーザノードを含むワイヤレス通信システムにおける通信のために構成されたユーザノードデバイスであって、前記ユーザノードデバイスは、
１または複数の非サービングネットワークノードに関連する干渉を得るために前記１または複数の非サービングネットワークノードから送信された無線信号の受信信号強度を測定し、前記無線信号は前記１または複数の非サービングネットワークノードに固有の基準信号であり、
干渉を表す少なくとも１つの無線信号の基準にしたがって前記１または複数の非サービングネットワークノードを配列し、前記無線信号の基準は、受信信号エネルギー、受信信号電力、受信信号強度インジケータ、基準信号受信品質、伝播損失、信号対雑音比、および信号対雑音干渉比を含む群の中の１または複数の測定値を含み、
少なくとも第１のサービングネットワークノードに前記配列の結果を示す第１のメッセージをシグナリングする
ように構成されたプロセッサを含み、
前記無線信号の基準は、少なくとも１つの前記ユーザノードにおいて前記１または複数の非サービングネットワークノードおよび／あるいはそのそれぞれの関連する送信ビームによって引き起こされる干渉に関連し、
前記第１のメッセージは、干渉するネットワークノードの識別のリストを含むことを特徴とするユーザノードデバイス。
【請求項１５】
複数のネットワークノードおよび複数のユーザノードを含むワイヤレス通信システムにおける通信のために構成されたネットワークノードデバイスであって、
少なくとも１つのユーザノードから請求項１４に記載のユーザノードデバイスによりシグナリングされた第１のメッセージを受信し、
前記シグナリングされた第１のメッセージに示された配列の結果に基づいて無線リソースをスケジューリングおよび／またはミュートする
ように構成されたプロセッサを含むことを特徴とするネットワークノードデバイス。
【発明の詳細な説明】
【技術分野】
【０００１】
本発明は、ワイヤレス通信システムにおける無線リソースのスケジューリングおよび／またはミュートのための方法に関する。さらに、本発明は、ユーザノードにおける方法、ネットワークノードにおける方法、対応するユーザノードデバイスおよびネットワークノードデバイス、コンピュータプログラム、ならびにそのコンピュータプログラム製品にも関する。
【背景技術】
【０００２】
無線の干渉は、ワイヤレス無線システムにおける性能低下の主な原因である。無線の干渉を軽減し、性能を支援するために、最先端の無線セルラシステムは、セル間干渉調整（ＩＣＩＣ：Inter-Cell Interference Coordination）方式を採用した。例えば、関連技術のＬＴＥシステムにおいては、ＩＣＩＣの２つの形態、すなわち、周波数領域ＩＣＩＣ（ＬＴＥ  Ｒｅｌ．８〜９において採用された）および時間領域ＩＣＩＣ（ＬＴＥ  Ｒｅｌ．１０から採用された）がサポートされる。
【０００３】
周波数領域ＩＣＩＣは、周波数領域の無線リソースの使用および／または電力の適合に関する。現在の方法は、以下を含む。
【０００４】
−  全周波数再使用（full frequency reuse）、（ＬＴＥシステムの基本動作モード）全周波数利用においては、各基地局が、システムの帯域幅全体に一様な電力が分散されるようにして周波数スペクトル全体を使用し、それによって、セルのエッジのユーザに対する強い干渉を生じる。
【０００５】
−  ハード周波数再使用（hard frequency reuse）、（関連技術のＧＳＭ（登録商標）およびＬＴＥ  Ｒｅｌ．８〜９で使用される）ハード周波数再使用においては、各基地局が、近隣の基地局が周波数の同じセットを使用しないようにして、利用可能な周波数スペクトルの重なり合わない部分のセットのうちの１つで動作する。これは、セルのエッジにおける干渉を最小化するが、全体的なスペクトル効率は、再使用係数（reuse factor）に等しい係数倍に減らされる。
【０００６】
−  部分周波数再使用（fractional frequency reuse）、利用可能な周波数スペクトルが２つの部分、すなわち、セルの中心のユーザをスケジューリングするために使用されるすべての基地局に共通の部分と、ハード周波数再使用式に基地局の間でさらに分割され、セルのエッジのユーザへの／からの送信をスケジューリングするために使用される第２の部分とに分割される。
【０００７】
−  ソフト周波数再使用（soft frequency reuse）、基地局が周波数スペクトル全体において、異なる電力レベルで送信することを可能にする。すなわち、セルのエッジのユーザがスケジューリングされるスペクトルの部分においては比較的高い送信電力で、セルの中心のユーザがスケジューリングされるスペクトルの部分においては比較的低い送信電力によって送信する。
【０００８】
時間領域ＩＣＩＣは、特定の時間−周波数リソースにおいて基地局の送信を周期的にミュートして、さらなる基地局が深刻な干渉を被る移動局に対して、ミュートされた無線リソースにおいてサービスを提供することを可能にする。関連技術のＬＴＥシステムでは、オールモストブランクサブフレーム（ＡＢＳ：Almost Blank Subframe）、すなわち、共通基準信号（ＭＢＳＦＮとして構成されたサブフレームを除く）、プライマリ同期信号およびセカンダリ同期信号（ＰＳＳ／ＳＳＳ）、物理ブロードキャストチャネル（ＰＢＣＨ）、それらの関連するＰＤＣＣＨをともなうＳＩＢ−１およびページングを含む、無線リンク障害を防止するかまたは後方互換性を維持するための必要な信号のみが送信されるダウンリンクサブフレームを導入した。
【０００９】
時間領域のミュートパターンは、長さ４０のビットマップによって準静的に構成され、すなわち、最大で４無線フレームにわたり、Ｘ２インターフェース上でｅＮｏｄｅＢの間でシグナリングされる。
被害者セル（victim cell）内の移動局は、以下の２つのグループにカテゴリ分けされる。
【００１０】
−  ＡＢＳを使用するセルからの干渉によって影響を受ける移動局、これらの移動局は、前記セルからのミュートされたサブフレームに一致してスケジューリングされることが好ましい。
および、
−  ＡＢＳを使用する近隣のセルによって生み出される干渉によって影響を受けない移動局、これらの移動局は、任意のサブフレームで自由にスケジューリングされ得る。
【００１１】
上記のカテゴリ分けは、近隣のセルのミュートされたサブフレームおよびミュートされないサブフレームにおける移動局からのチャネル品質（ＣＳＩ）フィードバックを比較することによって行われる。
【００１２】
ＩＣＩＣ（セル間干渉調整：Inter-Cell Interference Coordination）という用語が基地局の間の調整（Coordination）を示唆するにもかかわらず、実際には、ＡＢＳパターンが基地局によってローカルで決められるやり方、または被害者基地局（victim base station）によってそのカバーエリア内の移動局をスケジューリングするために使用されるやり方の中に、調整と言う要素はない。調整は、基地局のＡＢＳパターン、または特定の無線リソースが高い干渉を被るのか、低い干渉を被るのか、または中程度の干渉を被るのかを報告する干渉インジケータ（例えば、ＬＴＥシステムの過負荷インジケータ（overload indicator）ＯＩおよび高干渉インジケータ（high interference indicator）ＨＩＩ）などの情報を基地局の間でやりとりすることに限られる。
【００１３】
セルラ無線システムのダウンリンクの干渉を軽減するための別の方法は、送信ビームフォーミングによる方法である。本質的にマルチアンテナシステムにおいては、基地局は、ダウンリンク無線信号の送信を送信プリコーディングによって意図される受信機の方向の狭いビームに微調整することができ、それによって、セルのカバーエリア内のその他のモバイルノードに対して引き起こされる干渉を減らし得る。
【００１４】
ＬＴＥ  Ｒｅｌ．１０で採用されたＡＢＳにおいては、セルのエッジのユーザに関する干渉を軽減するために、ダウンリンクサブフレーム中にデータ送信の時間領域ミュート（ＴＤＭ：Time-Domain Muting）パターンを含む。加害者セル（aggressor cell、典型的には、マクロ基地局）のミュートパターンは、近隣の被害者セル（victim cell、典型的には、マクロセルのカバーエリア内のピコ基地局）にＸ２インターフェース上でシグナリングされ、これにしたがって、後者は、加害者セルのＡＢＳサブフレームにおいて加害者セルから強い干渉を被るモバイルノードをスケジューリングすることができる。被害者セルのカバーエリア内のモバイルノードは、ＡＢＳリソースおよび非ＡＢＳリソースに対応してチャネル品質（ＣＳＩ）の測定を実行して、移動局が加害者セルからの強い干渉によって影響を受けているかどうかをサービングセルが判定することを可能にするように構成される。ＴＤＭミュートパターンおよびスケジューリングの判断は、それぞれ加害者セルおよび被害者セルによって独立して判定される。
【００１５】
別の従来技術の解決策によれば、移動局がそれが近隣のセルによって干渉を受けているかどうかを判定するための方法が提案される。その方法は、近隣のセルの品質が閾値だけまたは特定の期間にわたりサービングセルの品質よりも良くなるときに、干渉状態が起こっていると検出することを含む。方法は、ＡＢＳパターンがどのようにして生成されるか、およびそのようなパターンがユーザのスケジューリングに与える影響を考慮しない。
【００１６】
さらに別の従来技術の解決策によれば、ＡＢＳの概念が、送信ビームの調整に拡張される。特に、それは、加害者基地局と被害者基地局との間のビーム調整のための方法を提供し、そこでは、加害者基地局（aggressor base station）の送信ビームによって生じた干渉が、被害者基地局のサービスエリア内の移動局によって測定される。測定された干渉に応じて、加害者基地局に対して無線リソースの使用の制限が決定され、それが被害者基地局によって使用され、ＡＢＳの場合と同様に、制限された無線リソースにあるユーザをスケジューリングする。被害者セル内の移動局は、どのビームが干渉するとみなされるのかと、最終的には、対応するチャネル品質測定値とを報告する。この情報に基づいて、被害者セルは、干渉するビームのランク付けを実行し、加害者セルによってシグナリングされたミュートされた／制限されたリソースに基づいて、サービスを提供されるユーザのスケジューリングを決定する。加害者セルは、被害者セルにおける干渉するビームのランク付けに基づいて無線リソースの使用の制限を決定する。調整（Coordination）が被害者基地局と加害者基地局との間の情報（つまり、それぞれ、干渉するビームのランク付けおよびリソースの使用の制限）のやりとりに限られる一方、ローカルの判断が（それぞれ、干渉するビームのランク付けおよびサービスを提供されるユーザ端末のスケジューリングならびにランク付けされた干渉するビームに関する無線リソースの使用の制限に関して）被害者基地局および加害者基地局において調整なしに行われる。
【発明の概要】
【００１７】
本発明の目的は、従来技術の解決策の欠点および問題を軽減するかまたは解決する解決策を提供することである。
【００１８】
本発明の別の目的は、従来技術の解決策と比較してワイヤレス通信において改善された干渉の軽減を提供することである。特に、本発明は、改善された調整された無線リソース管理の解決策を提供することを狙いとする。
【００１９】
本発明の第１の態様によれば、上述の目的が、複数のネットワークノードおよび複数のユーザノードを含むワイヤレス通信システムにおいて無線リソースをスケジューリングおよび／またはミュートするための方法であって、
−  少なくとも１つのユーザノードによって、１または複数のネットワークノードに関連する受信信号品質および／または干渉を得るために、前記１または複数のネットワークノードから送信された無線信号の受信信号強度を測定するステップと、
−  前記ユーザノードによって、少なくとも１つの無線信号の基準に関連する順序またはランク付けで、前記１または複数のネットワークノードに関連する前記受信信号品質および／または干渉を配列するステップと、
−  前記ユーザノードによって、少なくとも１つのネットワークノードに前記順序または前記ランク付けをシグナリングするステップと、
−  前記シグナリングされた順序またはランク付けに基づいて、無線リソースをスケジューリングおよび／またはミュートするステップとを含む、方法によって達成される。
【００２０】
本方法の実施形態によれば、前記受信信号品質および／または干渉は、受信信号エネルギー、受信信号電力、受信信号強度インジケータ、基準信号受信品質（reference signal received quality）、伝播損失、信号対雑音比、および信号対雑音干渉比（signal to noise and interference ratio）を含む群の中の、１または複数の測定値に関連する。
【００２１】
本方法の別の実施形態によれば、受信信号強度は、ダウンリンク基準信号、チャネル状態基準信号、復調基準信号、測位基準信号（positioning reference signal）、およびデータチャネルを含む群の中の、１または複数に関する測定値に関連する。
【００２２】
本方法のさらに別の実施形態によれば、受信信号品質および／または干渉は、前記１または複数のネットワークノードに関連する異なる送信ビームにさらに関連する。
【００２３】
本方法のさらに別の実施形態によれば、受信信号品質および／または干渉は、少なくとも１つの基準値に対して正規化される。
【００２４】
本方法のさらに別の実施形態によれば、前記少なくとも１つの基準値は、前記１または複数のネットワークノードからの最も高い受信信号品質および／または干渉、前記１または複数のネットワークノードからの最も低い受信信号品質および／または干渉、前記１または複数のネットワークノードからの平均の受信信号品質および／または干渉、サービングネットワークノードに関連する受信信号品質および／または干渉、前記少なくとも１つのユーザノードにおいて予め定義された基準値、サービングネットワークノードによってシグナリングされた基準値、ならびに前記ワイヤレス通信システムのネットワークによって構成された基準値を含む群の中の１または複数である。
【００２５】
本方法のさらに別の実施形態によれば、受信信号品質および／または干渉は、無線リソースの少なくとも１つのセットに関連付けられる。
【００２６】
本方法のさらに別の実施形態によれば、無線信号の基準は、前記少なくとも１つのユーザノードにおいて前記１または複数のネットワークノードおよび／あるいはそのそれぞれの関連する送信ビームによって引き起こされる干渉に関連する。
【００２７】
本方法のさらに別の実施形態によれば、ネットワークノードおよび／またはそのそれぞれの関連する送信ビームは、前記１または複数のネットワークノードに関連する受信信号品質および／または干渉に基づいて、前記少なくとも１つのユーザノードにおいて干渉を引き起こすと判定される。
【００２８】
本方法のさらに別の実施形態によれば、ネットワークノードおよび／またはそのそれぞれの関連する送信ビームは、前記ワイヤレス通信システムの帯域幅全体、帯域幅全体の少なくとも１つのサブバンド、または帯域幅全体の物理リソースブロックに関連して前記少なくとも１つのユーザノードにおいて干渉を引き起こすと判定される。
【００２９】
本法のさらに別の実施形態によれば、ネットワークノードおよび／またはそのそれぞれの関連する送信ビームは、受信信号品質および／または干渉を少なくとも１つの干渉の閾値と比較することによって、前記少なくとも１つのユーザノードにおいて干渉を引き起こすと判定される。この実施形態によれば、ネットワークノードおよび／またはそのそれぞれの関連する送信ビームは、受信信号品質および／または干渉が干渉の閾値を超えるか、あるいは特定の期間干渉の閾値を超える場合に干渉を引き起こすと判定される。さらに、この実施形態によれば、前記干渉の閾値は、前記少なくとも１つのユーザノードによって選択されるか、または前記少なくとも１つのユーザノードによって予め定義される。さらに、この実施形態によれば、前記干渉の閾値は、前記ワイヤレス通信システムのネットワークによって構成される。この実施形態によれば、前記構成された干渉の閾値は、制御チャネルまたはより上位層のシグナリングによって前記少なくとも１つのユーザノードにシグナリングされる。
【００３０】
本方法のさらに別の実施形態によれば、前記１または複数のネットワークノードのうちのそれぞれのネットワークノードおよび／あるいはそのそれぞれの関連する送信ビームによって引き起こされる干渉は、降順または昇順に配列される。
【００３１】
本方法のさらに別の実施形態によれば、前記順序または前記ランク付けは、前記順序または前記ランク付けを示す第１のメッセージによってシグナリングされる。この実施形態によれば、前記第１のメッセージは、干渉する送信ビームのリスト、干渉するネットワークノードのリスト、干渉の降順または昇順の干渉するネットワークノードのリスト、干渉する送信ビームおよび／または干渉するネットワークノードの前記リストに関連する干渉のレベルの指示を含む群の中の１または複数をさらに示す。さらに、この実施形態によれば、前記第１のメッセージは、最も強い干渉するネットワークノードおよび／またはそのそれぞれの関連する送信ビームならびに／あるいはそのそれぞれの干渉のレベルの指示を示すのみである。
【００３２】
本方法のさらに別の実施形態によれば、前記少なくとも１つのネットワークノードは、前記少なくとも１つのユーザノードからの前記最も強い干渉するネットワークノードおよび／またはそのそれぞれの関連する送信ビームに関連する受信信号品質および／または干渉の測定値を要求する。
【００３３】
本方法のさらに別の実施形態によれば、前記少なくとも１つのネットワークノードは、前記１または複数のネットワークノードおよび／あるいはそのそれぞれの関連する送信ビームに関連する受信信号品質および／または干渉の測定値を要求する。
【００３４】
本方法のさらに別の実施形態によれば、それぞれの干渉のレベルは、前記ワイヤレス通信システムの帯域幅全体、帯域幅全体の少なくとも１つのサブバンド、または帯域幅全体の物理リソースブロックに関連付けられる。
【００３５】
本方法のさらに別の実施形態によれば、前記第１のメッセージの情報は、量子化される。
【００３６】
本方法のさらに別の実施形態によれば、前記少なくとも１つのネットワークノードは、前記第１のメッセージに基づいて無線リソースをスケジューリングおよび／またはミュートするステップを実行する第１のネットワークノードである。この実施形態によれば、前記第１のネットワークノードは、
−  異なるユーザノードに関連する複数の第１のメッセージを受信するステップと、
−  前記複数の第１のメッセージの指示を少なくとも１つの第２のメッセージへと組み合わせるステップと、
−  １または複数の第２のネットワークノードに前記第２のメッセージをシグナリングするステップとをさらに実行する。
【００３７】
さらにこの実施形態によれば、前記第２のメッセージは、前記１または複数のネットワークノードによって干渉を受けるユーザノードおよび／またはそのそれぞれの関連する送信ビームの数と、前記第１のネットワークノードによってサービスを提供される異なるエリアにおいて前記１または複数の第２のネットワークノードによって引き起こされる干渉と、前記第１のネットワークノードによってサービスを提供される異なるエリアおよび／またはユーザノードにおいて前記１または複数の第２のネットワークノードによって引き起こされる干渉と、前記第１のネットワークノードによってサービスを提供される異なるエリアおよび／またはユーザノードにおいて前記１または複数の第２のネットワークノードのうちの１つに関連する少なくとも１つの送信ビームによって引き起こされる干渉と、少なくとも１つの第２のネットワークノードによって干渉を受ける無線リソースの少なくとも１つのセットと、その他のネットワークノードの干渉から保護されることを前記第１のネットワークノードによって求められる無線リソースと、前記第１のネットワークノードがデータチャネル、制御チャネル、基準信号、またはこれらの組合せのいずれかの送信をミュートする無線リソースとを含む群の中の１または複数を示す。
【００３８】
さらに、この実施形態によれば、方法は、
−  ネットワーク制御ノードによって、前記第１のメッセージおよび／または前記第２のメッセージを受信するステップと、
−  前記ネットワーク制御ノードによって、前記第１のメッセージおよび／または前記第２のメッセージに基づいて無線リソースの集中化されたスケジューリングおよび／またはミュートを行うステップとをさらに含む。さらに、この実施形態によれば、方法は、
−  前記ネットワーク制御ノードによって、前記第１のネットワークノードおよび前記１または複数の第２のネットワークノードに、無線リソースの集中化されたスケジューリングおよび／またはミュートを行うステップに関連する情報をシグナリングするステップを含む。
【００３９】
本方法のさらに別の実施形態によれば、方法は、
−  前記第２のネットワークノードによって、前記第２のメッセージを受信するステップと、
−  前記第１のネットワークノードおよび前記１または複数の第２のネットワークノードによって、前記第１のメッセージおよび／または前記第２のメッセージに基づいて無線リソースのスケジューリングおよび／またはミュートを調整するステップとをさらに含む。
【００４０】
本方法のさらに別の実施形態によれば、前記ワイヤレス通信システムは、セルラシステムであり、前記第１のネットワークノードは、前記少なくとも１つのユーザノードのためのサービングネットワークノードである。
【００４１】
本方法のさらに別の実施形態によれば、方法は、
−  受信信号品質および／または干渉をデータベースに記憶し、処理するステップをさらに含み、前記データベースは、無線環境マップ（Radio Environmental Map）、ＲＥＭ、データベースである。
【００４２】
本方法のさらに別の実施形態によれば、ネットワークノードは、基地局、ＮｏｄｅＢ、ｅＮｏｄｅＢ、ピコセルノード、フェムトセルノード、無線アクセスポイント、リモートラジオヘッド、ウルトラＮｏｄｅＢ（ultra-NodeB：ｕ−ＮｏｄｅＢ）を含む群の中の１または複数である。
【００４３】
本発明の第２の態様によれば、上述の目的が、複数のネットワークノードおよび複数のユーザノードを含むワイヤレス通信システムにおける通信のために配列されたユーザノードにおける方法であって、
−  １または複数のネットワークノードに関連する受信信号品質および／または干渉を得るために前記１または複数のネットワークノードから送信された無線信号の受信信号強度を測定するステップと、
−  少なくとも１つの無線信号の基準に関連する順序またはランク付けで前記１または複数のネットワークノードに関連する受信信号品質および／または干渉を配列するステップと、
−  少なくとも１つのネットワークノードに前記順序または前記ランク付けをシグナリングするステップとを含む、方法によって達成される。
【００４４】
本発明の第３の態様によれば、上述の目的が、複数のネットワークノードおよび複数のユーザノードを含むワイヤレス通信システムにおける通信のために配列されたネットワークノードにおける方法であって、
−  少なくとも１つのユーザノードからユーザノードにおける上述の方法による順序またはランク付けを受信するステップと、
−  前記シグナリングされた順序またはランク付けに基づいて無線リソースをスケジューリングおよび／またはミュートするステップとを含む、方法によって達成される。
【００４５】
ネットワークノードにおける本方法の実施形態によれば、前記順序および前記ランク付けは、第１のメッセージで受信され、方法は、
−  その他のネットワークノードから少なくとも１つの第２のメッセージを受信するステップであって、前記第２のメッセージは複数の第１のメッセージの組み合わされた指示である、ステップと、
−  前記第１のメッセージおよび／または前記第２のメッセージに基づいて無線リソースをスケジューリングおよび／またはミュートするステップとをさらに含む。
【００４６】
ネットワークノードにおける本方法の別の実施形態によれば、無線リソースをスケジューリングおよび／またはミュートするステップは、前記その他のネットワークノードと調整される。
【００４７】
さらに、上述の本方法は、処理手段によって実行されるときに処理手段に本方法を実行させるコンピュータプログラムに含まれる可能性がある。コンピュータプログラム製品が、コンピュータプログラムおよびコンピュータ可読媒体を含む可能性がある。
【００４８】
本発明の第４の態様によれば、上述の目的が、複数のネットワークノードおよび複数のユーザノードを含むワイヤレス通信システムにおける通信のために配列されたユーザノードデバイスであって、前記モバイルデバイスは、
−  １または複数のネットワークノードに関連する受信信号品質および／または干渉を得るために前記１または複数のネットワークノードから送信された無線信号の受信信号強度を測定し、
−  少なくとも１つの無線信号の基準に関連する順序またはランク付けで前記１または複数のネットワークノードに関連する受信信号品質および／または干渉を配列し、
−  少なくとも１つのネットワークノードに前記順序または前記ランク付けをシグナリングするように配列されたプロセッサを含む、ユーザノードデバイスによって達成される。
【００４９】
本発明の実施形態によれば、ユーザノードデバイスは、モバイル電話、モバイル通信デバイス、アクチュエータデバイス、ポータブルコンピュータ、据え置き型コンピュータ、センサーデバイス、マシン型通信（machine-type communication）のためのデバイス、およびマシンツーマシン通信のためのデバイスなどのユーザ通信デバイスである。
【００５０】
本発明の第５の態様によれば、上述の目的が、複数のネットワークノードおよび複数のユーザノードを含むワイヤレス通信システムにおける通信のために配列されたネットワークノードデバイスであって、
−  第１のメッセージで示されるユーザノードデバイスによる前記順序または前記ランク付けを受信し、
−  前記シグナリングされた順序またはランク付けに基づいて無線リソースをスケジューリングおよび／またはミュートするように配列されたプロセッサを含む、ネットワークノードデバイスによって達成される。
【００５１】
本ユーザノードデバイスおよびネットワークノードデバイスは、ワイヤレス通信システムにおける本方法の異なる実施形態に従って修正され、必要に応じて変更され得る。
【００５２】
本発明は、１または複数のネットワークノードによって無線リソースのスケジューリングおよび／またはミュートのために使用され得る、受信信号品質および／または干渉に基づいて判定された干渉するネットワークノードおよび／またはそのそれぞれの関連する送信ビームの順序またはランク付けの少なくとも１つのユーザノードからの指示に基づいてワイヤレス通信システムにおいて無線の干渉を軽減するための解決策を提供する。
【００５３】
言い換えれば、本発明は、ユーザノードにおいて無線の干渉を起こす可能性があるネットワークノードからの無線信号の受信信号強度のユーザノードにおける順序付けまたはランク付けのための解決策を提供する。本発明は、第１のメッセージで順序またはランク付けをユーザノードからシグナリングするための方法をさらに提供する。したがって、本発明は、システムの複数のネットワークノードの間での無線リソースの効果的な調整されたスケジューリングおよび／またはミュートのための手段も提供する。
【００５４】
さらに、本発明の好ましい実施形態によれば、異なるネットワークノードの間で第１の種類および／または第２の種類のインジケータメッセージをやりとりするためのメカニズムが提供される。インジケータメッセージは、システム内のユーザノードによって測定されたネットワークノードからの無線の干渉を示す。異なるネットワークノードの間でやりとりされるインジケータメッセージは、システムの複数のネットワークノードの間でスケジューリングおよび／またはミュートを調整するのに有益である。
【００５５】
本発明のさらなる応用および利点は、以下の詳細な説明から明らかになるであろう。
【図面の簡単な説明】
【００５６】
添付の図面は、本発明の異なる実施形態を明らかにし、説明するように意図される。
【図１】本発明の一実施形態によるワイヤレス通信システムにおける方法を示す図である。
【図２】本発明によるワイヤレス通信システムにおける第１のメッセージおよび第２のメッセージの使用を示す図である。
【図３】本発明による情報の記憶を示す図である。
【図４】本発明によるユーザノードデバイスを示す図である。
【図５】本発明による代替的ユーザノードデバイスを示す図である。
【図６】本発明によるネットワークノードデバイスを示す図である。
【図７】本発明による代替的ネットワークノードデバイスを示す図である。
【発明を実施するための形態】
【００５７】
上述の説明に加えて、将来の無線ネットワークにおけるアクセスノードの著しい高密度化は、潜在的に多数の干渉源がユーザノードへのおよびユーザノードからの送信に影響を与えることが原因で、セル間干渉管理を特に難しくする。したがって、スペクトル効率およびエネルギーの節約に関連するいくつかの新しい課題が生じる。第１の大きな問題は、受信機ユーザノードにおける受信に影響を与える干渉するネットワークノードおよび／または対応する干渉する送信ビームを判定し、好適な測定基準によってそれぞれの干渉するネットワークノードによって生み出される干渉の相対的な量を表すことである。第２の大きな問題は、ワイヤレス通信システムにおいて、複数のネットワークノードの間で無線リソースのブランキング（blanking）／ミュートのセル間調整をどのようにして判定するかということ、および近隣の（干渉する）ネットワークノードにおけるリソースのブランキング／ミュートから最も恩恵を受けるユーザノードへの無線リソースの空間に依存するスケジューリングとリソースのブランキング／ミュートをどのようにして組み合わせるかということである。
【００５８】
本発明は、複数のネットワークノードおよび複数のユーザノードを含むワイヤレス通信システムにおいて無線リソースをスケジューリングおよび／またはミュートするための方法によって上記の問題およびその他の問題に対処する。基本的に、本方法は、ユーザノードがシステム内の１または複数のネットワークノードから送信された無線信号の受信信号強度を測定し、１または複数のネットワークノードに関連する受信信号品質および／または干渉を得ることを意味する。例えば、ユーザノードは、その他のネットワークノードによって送信された無線信号の受信信号強度を測定しながらネットワークノードに接続され、ネットワークノードによってサービスを提供される。その他のネットワークノードからの無線信号の測定された信号強度に基づいて、ユーザノードは、その他のネットワークノードに関連する受信信号品質および／または干渉の測定値を判定する。しかし、より広く、ユーザノードは、いかなるネットワークノードに接続されることもなくまたはいかなるネットワークノードによってサービスを提供されることもなく、上記の動作を実行することができる。ユーザノードは、少なくとも１つの無線信号の基準に関連する順序またはランク付けで受信信号品質および／または干渉を配列する。最後に、ユーザノードは、通信システムの少なくとも１つのネットワークノードに順序またはランク付けをシグナリングする。ネットワークノードは、順序またはランク付けを受信し、受信された順序またはランク付けに基づいて無線リソースをスケジューリングおよび／またミュートする。
【００５９】
図１は、本発明の実施形態を示す。ユーザノードは、上述の測定するステップ、配列するステップ、およびシグナリングするステップを実行する。順序またはランク付けは、通信システムの少なくとも１つのネットワークノードにシグナリングされる第１のメッセージで示される。ネットワークノードは、第１のメッセージを受信し、示された順序またはランク付けに基づいて、それ自体によるまたはその他のネットワークノードと一緒に調整される無線リソースをスケジューリングおよび／またはミュートする。
【００６０】
以下の説明において、その他の好ましい実施形態が示され、説明され、結局、３ＧＰＰ  ＬＴＥシステムからの用語（サブフレーム、ｅＮｏｄｅＢなど）が時折使用されるが、当業者は、同じ機能および特性を有するチャネル、信号などのより一般的な概念を区別なく考慮し得ることに留意されたい。
【００６１】
本発明の一実施形態によれば、ユーザノードが、１または複数の好適な測定基準に基づいて、ネットワークノードによって送信された無線信号の受信信号品質および／または干渉を判定する。好適な測定基準の例は、受信信号エネルギー、受信信号電力（例えば、関連技術のＬＴＥシステムにおける基準信号受信電力（Reference Signal Received Power）、ＲＳＲＰ）、受信信号強度インジケータ（ＲＳＳＩ）、基準信号受信品質（ＲＳＲＱ：Reference Signal Received Quality）、伝播損失の測定値、信号対雑音比（ＳＮＲ）、信号対雑音干渉比（ＳＩＮＲ）、または任意のその他の対応する測定基準を含むがこれらに限定されない。一例において、ネットワークノードによって送信され、ユーザノードによって測定される信号の受信品質は、ユーザノードに対してネットワークノードによって引き起こされる干渉を表す。
【００６２】
さらなる実施形態において、ユーザノードは、ネットワークノードによって送信された基準信号またはデータチャネルの受信信号強度を測定する。好ましくは、基準信号は、ネットワークノードに固有であるかまたはユーザノードに固有であることができる。前者の場合、基準信号は、ネットワークノードの物理的なまたは仮想的な識別情報に任意のやり方で関連付けられる可能性があり、後者の場合、基準信号は、ユーザノードの識別情報に関連付けられる可能性がある。関連技術のＬＴＥシステムにおいて、第１の種類の基準信号の例は、ダウンリンク共通基準信号（ＣＲＳ）、チャネル状態情報基準信号（ＣＳＩ−ＲＳ）、および測位基準信号（ＰＲＳ）であり、一方、第２の種類の基準信号の例は、復調基準信号（ＤＭＲＳ）である。しかし、セルに固有の復調基準信号もこの目的のために使用され得ることが留意される。
【００６３】
本発明のさらに別の実施形態によれば、無線信号の受信信号品質および／または干渉が、ネットワークノードからの送信ビームに関連付けられる。したがって、ユーザノードは、無線信号の受信信号品質および／または干渉をネットワークノード自体にまたはその特定のネットワークノードからの特定の送信ビームに関連付けることができる。
【００６４】
無線信号の受信信号品質および／または干渉をネットワークノードに関連付けるために、ユーザノードは、関連技術のＬＴＥシステムにおけるＣＲＳまたはＣＳＩ−ＲＳなどのプリコーディングされない基準信号に関する受信信号品質および／または干渉を測定する可能性がある。信号の測定された受信品質および／または干渉を送信ビームに関連付けるために、ユーザノードは、ＤＭＲＳなどのプリコーディングされた信号の受信信号品質および／もしくは干渉を測定するか、またはデータ送信のために使用された使用されたプリコーディングベクトルと組み合わせてプリコーディングされない基準信号の受信信号品質および／もしくは干渉を測定するかのどちらかを行う可能性がある。
【００６５】
本発明のさらなる実施形態によれば、ユーザノードは、正規化された受信信号品質および／または干渉を判定し、ネットワークノードに関連する受信信号品質および／または干渉を表す測定基準が、基準値に対して正規化される。例えば、線形スケール（linear scale）で表された基準信号受信電力（ＲＳＲＰ）の正規化された表現は、以下である。
【００６６】
ＲＳＲＰc,norm=ＲＳＲＰc／ＲＳＲＰref
ここで、ＲＳＲＰrefおよびＲＳＲＰcは、それぞれ、基準ＲＳＲＰおよびネットワークノードｃから測定されたＲＳＲＰである。同様の正規化が、受信信号エネルギー、ＲＳＲＱ、ＲＳＳＩ、ＳＮＲ、ＳＩＮＲ、ユーザノードへの伝播損失などのネットワークノードからの受信信号品質および／または干渉を表す任意のその他の測定基準に関して行われ得る。好適な基準値の例は、以下を含む。
【００６７】
−  １または複数のネットワークノードからの最も高い測定された受信信号品質および／または干渉
−  １または複数のネットワークノードからの最も低い測定された受信信号品質および／または干渉
−  １または複数のネットワークノードからの平均の測定された受信信号品質および／または干渉
−  ユーザノードにサービスを提供するネットワークノードからの測定された受信信号品質および／または干渉
−  サービングネットワークノードに関連する受信信号品質および／または干渉
−  サービングネットワークノードによってシグナリングされた基準値
−  ユーザノードにおいて予め定義された基準値
−  ワイヤレス通信システムのネットワークによって構成された基準値
受信信号品質および／または干渉の測定値を正規化することの利点は、異なるネットワークノードからの測定された受信信号品質および／または干渉をスケーリングし、比較することを可能にすることである。
【００６８】
本発明のさらに別の実施形態によれば、ユーザノードは、無線チャネルの時間−周波数リソースの少なくとも１つのセットにおいてエネルギーをブラインドで（blindly）測定する。この実施形態においては、ユーザノード内の一般的なセンサー（例えば、普通の「無線計測器（radio meter）」）が、必ずしもユーザノードがネットワークノードによって現在サービスを提供されているスペクトルの部分であるとは限らない周波数帯域の特定の部分の電磁界（radio field）強度を測定する。したがって、この場合、電磁界の測定値は、いかなる知られている基準信号またはデータチャネルの送信に関連付けられない可能性がある。それによって、電磁界の測定された強度は、特定の地理的エリア内のユーザノードにおける潜在的な干渉を表し、必ずしも特定のネットワークノードまたは送信ビームに関連付けられるとは限らない。
【００６９】
上で検討されたユーザノードは、好適な基準に従って、１または複数のネットワークノードから送信された無線信号の受信信号品質および／または干渉を配列する。配列は、好適な基準に従った順序付けまたはランク付けである可能性がある。ユーザノードにおけるこの配列のステップの結果は、本発明の実施形態によれば、順序またはランク付けを示すことによって配列を反映する第１のメッセージである。典型的には、結果として得られるインジケータのサイズは、すべての受信信号品質および／または干渉の総計のサイズよりもずっと小さい。言い換えれば、配列の利点は、オーバーヘッドを減らす第１のメッセージでの指示の圧縮を提供することである。
【００７０】
この配列のための１つの非常に好適な基準は、ユーザノードにおいてネットワークノードまたは送信ビームによって引き起こされる／生み出される干渉であり、その場合、結果として得られる第１のメッセージが、（少なくとも）ユーザノードの受信機において生み出される個々の干渉に基づくネットワークノードの配列を提供する。
【００７１】
一実施形態によれば、ユーザノードは、本発明の別の実施形態によればシステムの特定の時間−周波数無線リソースに関連する可能性がある測定された受信信号品質および／または干渉に基づいて、ネットワークノードおよび／またはネットワークノードからの送信ビームが干渉しているかどうかを判定する。そして、干渉するネットワークノードおよび／または送信ビームは、対応する測定値の順序付けまたはランク付けなどの特定の基準に従って第１のメッセージへと配列される。一例において、配列は、例えば、ネットワークノードのうちのそれぞれのネットワークノードおよび／またはそのそれぞれの関連する送信ビームによって引き起こされる干渉がそれに応じて干渉の降順または昇順に配列されるような、受信するユーザノードにおいて各ネットワークノードによって生じさせられる（個々の）干渉の相対的な強度を表す。
【００７２】
さらなる実施形態によれば、ネットワークノードまたはネットワークノードに関連する送信ビームが、ネットワークノードからの受信信号品質および／または干渉の少なくとも１つの閾値に基づいて干渉として判定される。１つの例となる場合においては、受信信号品質および／もしくは干渉を表す測定基準が干渉の閾値を超えるとき、または干渉の閾値が少なくとも特定の量の時間の間超えられるときに、ネットワークノードまたは送信ビームが干渉とみなされる。別の例においては、ネットワークノードからの受信信号品質および／または干渉が移動局にサービスを提供する別のネットワークノードの信号品質および／または干渉の閾値以内であるときに、ネットワークノードまたは送信ビームが干渉と判定される。この実施形態の利点は、ユーザノードが干渉するネットワークノードおよび／または干渉する送信ビームのセットを判定し、前の実施形態と組み合わせて、無線リソースの改善されたスケジューリングおよび／またはミュートのために干渉するネットワークノードおよび／または干渉する送信ビームをランク付けすることを可能にすることである。
【００７３】
どちらの場合も、閾値は、ユーザノードによって選択されるか、ユーザノードにおいて予め定義されるか、または通信システムのネットワークによって動的に（例えば、物理層のシグナリングによる）かもしくは準静的に（例えば、より上位層の無線リソース制御（ＲＲＣ）のシグナリングによる）かのどちらかで構成される可能性がある。この実施形態の利点は、第１のメッセージで報告される干渉するネットワークノードの数を制限することである。例えば、ユーザノードにおいて複数の閾値が使用される可能性があり、それには対応する干渉測定基準によって超えられた閾値に基づいて干渉するネットワークノードおよび／またはそのそれぞれの関連する送信ビームのより細かい分類を可能にするというさらなる利点があることも理解される。
【００７４】
さらに別の実施形態によれば、第１のメッセージは、測定された受信信号品質および／または干渉の昇順または降順の干渉するネットワークノードの配列および／または干渉する送信ビームのリストを含む。第１のメッセージは、第１のメッセージの送信機と第１のメッセージの受信機との両方に知られているネットワークノードの識別情報のリスト、またはネットワークノードおよび／もしくは送信ビームのリストを反映するビットマップを含み得る。さらに、干渉の降順または昇順の干渉する送信ビームおよび／または干渉するネットワークノードのリストに関連する干渉のレベルも、この実施形態による第１のメッセージに含まれる可能性がある。この実施形態の利点は、ユーザノードが減らされたシグナリングのオーバーヘッドでネットワークに干渉するネットワークノードのリストをシグナリングすることを可能にすることである。
【００７５】
本発明のさらに別の実施形態によれば、第１のメッセージは、少なくとも１つのネットワークノードの識別情報および／または干渉の関連するインジケータを含む。一例において、インジケータメッセージは、最も強い干渉源であると判定されたネットワークノードおよび／またはそのそれぞれの関連する送信ビームの識別情報ならびに／あるいは対応する干渉のインジケータのみを含む。さらなる実施形態において、第１のメッセージは、少なくとも、最も強い干渉源であると判定された送信ビームのインジケータおよび／または最も強い干渉源からの干渉の関連するインジケータを含む。これは、サービングネットワークノードがネットワークノードのサービスを提供するエリア内の特定のユーザノードまたは地理的位置における受信に影響を与える最も強い干渉源（または干渉源のセット）を判定することを可能にしながらシグナリングのオーバーヘッドを最小化するという利点を有する。
【００７６】
本発明の別の実施形態において、第１のメッセージは、干渉するネットワークノードの配列だけでなく、ユーザノードにおいてネットワークノードによって生じされられた個々の干渉の指示も含む。一例においては、さらなる情報が、決まったビット数で運ばれる。例えば、２ビットを使用することによって、ユーザノードは、それぞれの干渉するネットワークノードに関する干渉の最大で４つのレベル、例えば、低い、中程度〜低い、中程度〜高い、および高い干渉を示し得る。別の例において、第１のメッセージは、少なくとも１つのネットワークノード、例えば、最も強い干渉源であると判定されたネットワークノード（またはネットワークノードのセット）に対応する干渉のレベルのインジケータのみを含む。干渉するネットワークノードの識別情報は、第１のメッセージの受信機において知られているか、または上述の受信機に別のインジケータメッセージでシグナリングされるかのどちらかである可能性がある。
【００７７】
第１のメッセージは、時間−周波数リソースブロックなどのどの無線リソースが干渉によって影響を与えられるかの指示をさらに表す可能性がある。したがって、本発明の別の実施形態によれば、第１のメッセージで報告される測定された受信信号品質および／または干渉の配列は、時間−周波数リソースブロックなどの無線リソースのセットを表す可能性がある。干渉するネットワークノードのランク付けのために使用される受信信号強度は、有限のビット数で量子化され、ユーザノードから１または複数のネットワークノードにシグナリングされる可能性がある。したがって、示される情報の量子化は、広帯域である、つまり、ユーザノードによって測定された周波数スペクトル全体を参照するか、または狭帯域である、つまり、サブバンド（例えば、ＬＴＥにおけるリソースブロック）を表すかのどちらかの可能性がある。これは、報告される情報の正確さとシグナリングのオーバーヘッドとの間の折り合いを可能にするという利点を有する。
【００７８】
説明されたように、ユーザノードは、干渉するネットワークノードの配列を反映する第１のメッセージの形態でインジケータメッセージを報告する。関連技術のＬＴＥシステムなどの通常の無線セルラシステムにおいて、ユーザノードは、サービングネットワークノードに第１のメッセージを送信する。したがって、第１のメッセージは、制御情報としてフォーマットされ、物理アップリンク制御チャネル上で送信される可能性があり、または第１のメッセージは、データチャネルの一部として（例えば、より上位層のＲＲＣのシグナリングによって）送信される可能性がある。より進んだ通信システムにおいて、ユーザノードは、その近くの任意のネットワークノードおよび／またはユーザノードにインジケータメッセージをブロードキャストし、それによって、第１のメッセージに配列された干渉するネットワークノードを含める可能性がある。
【００７９】
第１のメッセージが少なくとも１つの干渉するネットワークノードまたはその関連する送信ビームの識別情報を含む場合、ユーザノードにサービスを提供するネットワークノードは、第１のメッセージで示された少なくとも１つの干渉するネットワークノードに関する受信信号品質および／または干渉の測定値を報告するようにユーザノードに要求し得る。この実施形態の利点は、ユーザノードからネットワークノードへのシグナリングのオーバーヘッドを最小化することである。
【００８０】
ユーザノードにおける方法のステップが上の説明で考慮されたが、ネットワーク側では、ユーザノードからのシグナリングされた第１のメッセージの受信が、いくつかの行為、例えば、個々のスケジューリングおよび／またはミュート、ネットワークノードにまたがる調整されたスケジューリングおよび／またはミュート、ならびに第１のメッセージなしでは不可能な無線リソース管理に関連するネットワーク動作の最適化を許す。これらの使用において、無線リソースは、少なくとも、時間リソース、周波数リソース、および送信電力リソース、またはこれらの組合せのいずれかとして意図される。
【００８１】
本発明のさらに別の実施形態によれば、第１のネットワークノードが、複数のユーザノードから受信された複数の第１のメッセージ１または複数の第２のメッセージへと組み合わせる。一例において、第２のメッセージは、１または複数の第２のネットワークノードにシグナリングされる。さらなる例において、第２のメッセージは、第１のネットワークノードによって近隣のネットワークノードのグループにシグナリングされる。第２のメッセージで運ばれる情報の例は、異なる実施形態によれば以下である。
【００８２】
−  １もしくは複数のネットワークノードおよび／またはそのそれぞれの送信ビームによって干渉を受けたユーザノードの数の指示
−  第１のネットワークノードによってサービスを提供される異なる地理的エリアに対してネットワークノードによって生み出された干渉の配列
−  第１のネットワークノードによってサービスを提供されるユーザノードおよび／または異なる地理的エリアに関連する干渉するネットワークノードの配列
−  少なくとも１つの第２のネットワークノードの少なくとも１つの送信ビームによって生み出された干渉の配列
−  少なくとも第２のネットワークノードおよび／または送信ビームが干渉を生み出す時間−周波数無線リソース
−  第２のネットワークノードなどの別のネットワークノードによって生じさせられる干渉から保護されることを第１のネットワークノードによって求められる無線リソース（例えば、時間−周波数）
−  第１のネットワークノードがデータチャネル、制御チャネル、基準信号、またはこれらの組合せのいずれかの送信をミュートする無線リソース（例えば、時間−周波数）
第１のネットワークノードによってシグナリングされる第２のメッセージがネットワークノードによって生じさせられる（セル間）干渉から保護される時間−周波数無線リソースの指示を含むとき、第２のメッセージを受信する第２のネットワークノードは、情報を使用して、その無線リソースのスケジューリングおよび／またはミュートを判定することができる。第１のネットワークノードによってシグナリングされる第２のメッセージが第１のネットワークノードによってミュートされる時間−周波数リソースおよび／または時間−周波数リソースのパターンの指示を運ぶとき、第２のメッセージを受信する第２のネットワークノードは、おそらくは第１の種類のメッセージと組み合わせてそれを使用して、そのサービスを提供するエリア内のユーザノードへの無線リソースをスケジューリングすることができる。
【００８３】
本発明のさらなる実施形態によれば、第１の種類および／または第２の種類のメッセージは、結局のところシステム内のネットワークノードにまたがるユーザノードへの無線リソースの調整された（分散された）スケジューリングおよび／またはミュートのためにネットワークノードによって利用される。これは、本方法が、ネットワークノードにおける以下のステップ、すなわち、第１のメッセージおよび／または第２のメッセージを受信するステップと、受信された第１のメッセージおよび／または第２のメッセージに基づいて１または複数のその他のネットワークノードと一緒に調整された無線リソースをスケジューリングおよび／またはミュートするステップとをさらに含むことを意味する。この実施形態の利点は、複数のネットワークノードの間での無線リソースのスケジューリングおよび／またはミュートの調整を可能にすることである。第１のメッセージおよび／または第２のメッセージに基づく調整メカニズムは、ユーザノードに対する干渉を軽減するための個々のまたは調整された行為を行うことをネットワークノードに求める。
【００８４】
さらなる実施形態によれば、第１の種類および／または第２の種類のメッセージは、結局のところ複数のネットワークノードにまたがるユーザノードへの無線リソースの集中化されたスケジューリングおよび／またはネットワークノードにおける無線リソースの調整されたミュートのためにネットワーク制御ノードによって利用される。これは、本方法が、制御ノードにおける以下のステップ、すなわち、第１のメッセージおよび／または第２のメッセージを受信するステップと、第１のメッセージおよび／または第２のメッセージに基づいて無線リソースをスケジューリングおよび／またはミュートするステップとをさらに含むことを意味する。第１のメッセージおよび／または第２のメッセージで運ばれる情報に基づいて、ネットワーク制御ノードは、複数のネットワークノード（および対応するサービスを提供されるユーザノード）に関する無線リソースの集中化したやり方でのスケジューリングおよび／またはミュートを判定することができる。１つの例は、ネットワークノードがクラスタマスターとして働き、クラスタ内の複数のネットワークノードに関するリソース管理を（完全にかまたは部分的にかのどちらかで）司る、関連技術のＬＴＥシステムにおけるスモールセルなどの無線通信システム内のセルのクラスタの動作である。別の例は、多数のネットワークノードのリソース管理が必ずしもネットワークノードのいずれかに一緒に置かれるとは限らない１つの処理ユニットにおいて集中的に司られるクラウド無線アクセスネットワーク（ＲＡＮ）の場合である。無線リソースのスケジューリングおよび／またはミュートを制御するために、制御ネットワークノードは、集中化されたスケジューリングおよび／またはミュートに関連する情報を制御されるネットワークノードにシグナリングすることができる。好適なネットワーク制御ノードは、例えば、コンピューティングおよび処理ユニット、マクロ基地局、ならびにｅＮｏｄｅＢ、ウルトラＮｏｄｅＢ（ｕ−ＮｏｄｅＢ）、ピコ基地局、スモールセルノード、フェムトノード、ホームノード、または対応する機能を有する任意のその他のネットワークノードである。
【００８５】
図２は、ネットワークノードにおける第１のインジケータメッセージおよび第２のインジケータメッセージの使用の例を示す。複数のユーザノードからの干渉するネットワークノードの配列を報告する第１のメッセージに基づいて、第１の（サービング）ネットワークノードは、最も強い干渉するネットワークノードおよび／または干渉する送信ビームに基づいてユーザノードをグループ分けする。第１のネットワークノードは、無線リソースをスケジューリングするために第１のメッセージを使用する。その他のネットワークノードは、無線リソースのスケジューリングおよび／またはミュートを判定するために受信された第１のメッセージおよび第２のメッセージを使用する。さらに、図２は、第１のネットワークノードが複数の第１のメッセージで受信された情報を第２のメッセージへと組合せ、処理する例をさらに示す。第２のメッセージは、第１のネットワークノードから少なくとも１つの第２のネットワークノードに送信される。第１の種類および／または第２の種類のメッセージを受信すると、ネットワークノードは、ユーザノードにおいて生じさせられる干渉を軽減するために、それ自体によって無線リソースをスケジューリングおよび／もしくはミュートするか、またはシステムのその他のネットワークノードと協調する。一例において、ネットワークノードは、第１の種類または第２の種類のメッセージでネットワークノードに関連する強い干渉によって影響を与えられると示された無線リソースをミュートする代わりにダウンリンク電力制御を使用する可能性がある。第１の種類および／または第２の種類のメッセージは、さらに、ネットワークノードのグループの無線リソース管理を司るネットワーク制御ノードによって受信され、ネットワークノードのグループに関する無線リソースの集中化したやり方でのスケジューリングおよび／またはミュートを判定するために使用され得る。
【００８６】
第１のメッセージおよび／または第２のメッセージの１つの使用は、ユーザノードへの無線リソースのスケジューリングである。第１のメッセージの別の使用は、無線リソースのミュートを調整することである。無線リソースのミュートは、無線リソースの使用の制限として意図される。使用の制限は、ネットワークノードの送信ビームかまたはネットワークノード自体（例えば、ネットワークノードによって単一のビームが送信されるとき）かのどちらかに適用するように意図される。例えば、ミュートは、関連技術のＬＴＥシステムにおいて意図されるＡＢＳパターンの判定と、時間−周波数無線リソースのセット上のネットワークノードの送信または送信ビームの完全なミュートとを表す可能性がある。別の例において、無線リソースのミュートは、ダウンリンク電力制御として意図される。これに関して、第１の種類および第２の種類のインジケータメッセージは、時間−周波数無線リソースのセット上の少なくとも１つの送信ビームのダウンリンク送信電力を判定するためにネットワークノードにおいて使用され得る。
【００８７】
さらに別の実施形態によれば、第１のネットワークノードが、ユーザノードによってインジケータメッセージで干渉するノードとして報告される第２のネットワークノードによってミュートされる時間−周波数無線リソースにおいて少なくとも１つのユーザノードへの送信をスケジューリングする。したがって、第１のネットワークノードは、ユーザノードから受信された（干渉するネットワークノードの配列を報告する）第１のメッセージおよび少なくとも第２のネットワークノードのリソースミュートパターンに基づいて無線リソースの時間−空間スケジューリングパターンを判定する。一例においては、図２に示されるように、ユーザノードから第１のメッセージで干渉するネットワークノードまたは送信ビームの配列を受信するネットワークノードが、同じ最も強い干渉するネットワークノードおよび／または送信ビームによって影響されるユーザノードのグループを判定する。そして、この情報が、干渉するネットワークノードおよび／または送信ビームに関するミュートされる無線リソースにおいてユーザをスケジューリングするために使用され得る。別の例において、ネットワークノードは、受信されたインジケータメッセージを使用して、システムの１つの移動局または移動局のグループにおける受信に影響を与えるネットワークノードおよび／または送信ビームのグループを順番に配列する。
【００８８】
さらに、無線環境マップ（ＲＥＭ）の概念が、ネットワークがネットワークの動作に関連するプロセスを収集し、無線環境情報を記憶するための手段として当技術分野で提案された。概して、ＲＥＭは、異なる種類の無線環境情報が記憶され得るデータベースまたは知識ベースと考えられ得る。関連する情報の種類の例は、送信機および受信機の位置、伝播環境のモデル、およびワイヤレス通信デバイスによって行われるさまざまなスペクトル使用の測定を含む。そのような情報に基づいて、特定の送信がその周囲の状況の中で引き起こす干渉のレベルなどの無線環境のさらなる詳細が、推定され、モデル化される可能性がある。
【００８９】
したがって、本発明の一実施形態によれば、シグナリングのステップにおける第１のメッセージおよび／または第２のメッセージのシグナリングは、ユーザノードおよびネットワークノードによってそれぞれ、ＲＥＭにまたはＲＥＭを介して実行される。ＲＥＭは、測定された受信信号品質が（潜在的にその他のメッセージおよび情報と一緒に）記憶され、処理されるデータベースとして働く。そして、このＲＥＭの情報は、要求に応じて任意のネットワークノードのために利用可能である。特に、ネットワークノードによるミュートおよびスケジューリングの判断は、ＲＥＭの関連する情報を要求した後、このノードによって行われ得る。本質的に、この実施形態は、図３に示されるようにユーザノードとネットワークノードとの間のデータベース記憶ステップを含む。第１の種類のメッセージによって運ばれる情報は、ＲＥＭを形成するデータベースユニットに記憶される。一例において、ＲＥＭは、第１のメッセージをシグナリングするユーザノードに関連するそれぞれの位置が第１のメッセージで報告されるネットワークノードおよび／またはその関連する送信ビームに対応する干渉値に関連付けられる干渉マップを表す。第１のメッセージは、ＲＥＭが記憶されるネットワークユニット、例えば、ネットワークノードによって受信され得るか、またはネットワークノードが、ＲＥＭが記憶されるネットワークユニットに第１のメッセージをさらに（再）送信し得るかのどちらかである。
【００９０】
さらに、当業者に理解されるように、本発明による任意の方法は、処理手段によって実行されるときに処理手段に方法のステップを実行させるコード手段を有するコンピュータプログラムで実装される可能性もある。コンピュータプログラムは、コンピュータプログラム製品のコンピュータ可読媒体に含まれる。コンピュータ可読媒体は、ＲＯＭ（読み出し専用メモリ）、ＰＲＯＭ（プログラマブル読み出し専用メモリ）、ＥＰＲＯＭ（消去可能ＰＲＯＭ）、フラッシュメモリ、ＥＥＰＲＯＭ（電子的消去可能ＰＲＯＭ）、またはハードディスクドライブなどの本質的に任意のメモリからなる可能性がある。
【００９１】
さらに、本方法は、好適な通信デバイス、すなわち、ワイヤレス通信システムにおける通信のために配列されたユーザノードデバイスおよびネットワークノードデバイスで実装され、実行され得る。本通信デバイスが、例えば、本発明による方法を実行するための機能、手段、ユニット、要素などの形態で必要な通信能力を含む可能性があり、つまり、デバイスが、本発明の任意の方法に従って修正され、必要に応じて変更され得ることは、当業者によって理解される。そのような手段、ユニット、要素、および機能の例は、メモリ、エンコーダ、デコーダ、マッピングユニット、乗算器、インターリーバ、デインターリーバ、変調器、復調器、入力、出力、アンテナ、増幅器、ＤＳＰなどであり、これらは好適に一緒に配列される。
【００９２】
特に、本通信デバイスのプロセッサは、例えば、中央演算処理装置（ＣＰＵ）、処理ユニット、処理回路、プロセッサ、特定用途向け集積回路（ＡＳＩＣ）、マイクロプロセッサ、または命令を解釈し、実行し得るその他の処理論理の１または複数のインスタンスを含み得る。したがって、表現「プロセッサ」は、例えば、上述のもののいずれか、一部、またはすべてなどの複数の処理回路を含む処理回路を表す可能性がある。処理回路は、データのバッファリングを含むデータの入力、出力、および処理のためのデータ処理機能と、呼処理制御、ユーザインターフェース制御などのデバイス制御機能とをさらに実行する可能性がある。
【００９３】
本ユーザノードデバイスは、１または複数のネットワークノードに関連する受信信号品質および／または干渉を得るために１または複数のネットワークノードから送信された無線信号の受信信号強度を測定し、少なくとも１つの無線信号の基準に関連する順序またはランク付けで１または複数のネットワークノードに関連する受信信号品質および／または干渉を配列し、システムの少なくとも１つのネットワークノードに順序またはランク付けをシグナリングするように配列されるプロセッサを含む。この実施形態が、図４に示される。ユーザノードは、モバイル通信デバイス、アクチュエータデバイス、モバイル電話、ポータブルコンピュータ（ラップトップ）、据え置き型のコンピュータ、センサーデバイス、マシン型通信のためのデバイス、マシンツーマシン通信のためのデバイスなどのワイヤレス通信システムにおける通信のために配列された任意の好適なユーザ通信デバイスである可能性がある。
【００９４】
あるいは、本発明の別の実施形態によれば、本ユーザノードデバイスは、測定ユニットが、１または複数のネットワークノードに関連する受信信号品質および／または干渉を得るために１または複数のネットワークノードから送信された無線信号の受信信号強度を測定し、配列ユニットが、少なくとも１つの無線信号の基準に関連する順序またはランク付けで１または複数のネットワークノードに関連する受信信号品質および／または干渉を配列し、シグナリングユニットが、システムの少なくとも１つのネットワークノードに順序またはランク付けをシグナリングするように一緒に配列された測定ユニット、配列ユニット、およびシグナリングユニットを含む。この実施形態が、図５に示される。
【００９５】
さらに、本ネットワークノードデバイスは、第１のメッセージで示される順序もしくはランク付けを受信し、シグナリングされた順序またはランク付けに基づいて無線リソースをスケジューリングおよび／またはミュートするように配列されるプロセッサを含む。ネットワークノードデバイスは、上述の第２のメッセージを受信するようにさらに配列され得る。この実施形態が、図６に示される。
【００９６】
あるいは、本発明の別の実施形態によれば、ネットワークノードデバイスは、受信ユニットが第１のメッセージで示される順序またはランク付けを受信し、スケジューリングおよび／またはミュートユニットがシグナリングされた順序またはランク付けに基づいて無線リソースをスケジューリングおよび／またはミュートするように一緒に配列された受信ユニットならびにスケジューリングおよび／またはミュートユニットを含む。また、この場合、ネットワークノードデバイスは、当業者によってよく理解される上述の第２のメッセージを受信および送信するようにさらに配列され得る。この実施形態が、図７に示される。
【００９７】
本発明が干渉の軽減のために任意の好適なワイヤレス通信システムで使用され得ることは、当業者によって理解される。そのような好適なシステムの例は、無線セルラネットワーク、異種ネットワーク、および無線アクセスネットワークである。
【００９８】
最後に、本発明は上述の実施形態に限定されず、添付の独立請求項の範囲内のすべての実施形態にも関連し、それらの実施形態を包含することを理解されたい。
【図１】
0006640722.tif 000002
【図２】
0006640722.tif 000003
【図３】
0006640722.tif 000004
【図４】
0006640722.tif 000005
【図５】
0006640722.tif 000006
【図６】
0006640722.tif 000007
【図７】
0006640722.tif 000008